(57)【要約】【課題】顔認証中のタッチパネル部の表示部を有効に利用する。【解決手段】ＵＩタッチパネル２１６の表示部２１６Ａを、タッチ操作パネルとして機能する第１の領域２１６Ｃと、スルー画及び静止画を表示する第２の領域２１６Ｄとを併設する形態として、第１の領域２１６Ｃの１つの機能を示す枠２１６Ｃ１〜２１６Ｃ６と同等の大きさとすることで、第２の領域２１６Ｄの大きさ（面積）が、第１の領域２１６Ｃの大きさ（面積）の１／１０程度となるようにした。【選択図】図５
2015177433.tif 000002
【特許請求の範囲】
【請求項１】
自装置の操作者を特定する操作者特定手段と、
前記操作者特定手段による操作者特定前に、自装置に画像処理をさせるための操作を受け付ける受付手段と、
を有する画像処理装置。
【請求項２】
自装置の操作者を特定する操作者特定手段と、
前記操作者特定手段による操作者特定前に、自装置に画像処理をさせるための操作を受け付ける受付手段と、
前記受付手段が前記操作を受け付けた後に、前記操作者特定手段に操作者の特定を行わせるための画像を表示する表示手段と、
を有する画像処理装置。
【請求項３】
自装置の操作者を特定する操作者特定手段と、
自装置に画像処理を行わせるための操作を受け付ける受付手段と、
前記操作者特定手段が前記特定を行うための画像を表示する表示手段と、
前記操作者特定手段による前記操作者特定前に、前記受付手段が操作を受け付けた場合、前記表示手段に前記特定を行わせるための画像の表示を許可する許可手段と、
を有する画像処理装置。
【発明の詳細な説明】
【技術分野】
【０００１】
本発明は、画像処理装置に関する。
【背景技術】
【０００２】
電力供給対象の機器に対する省電力供給制御を自動化する手段として、人感センサ制御がある。
【０００３】
特許文献１には、省エネ効率の向上と、使い勝手の向上を図ることを目的として、人物を撮影して、この映像にある顔の情報を元に個人認証をすることが可能なカメラを有する画像処理装置において、人物を検出して、その後の個人を特定する比較動作を行う状態をトリガとして、予熱モードに移行または予熱モードからの復帰を行う制御を司る制御手段を備えた画像処理装置が開示されている。
【０００４】
また、特許文献２には、銀行店舗に設置されたＡＴＭが、顧客の笑顔を誘う笑顔誘導手段を有し、自然に誘導された顧客の笑顔を撮影し、撮影された顧客の画像から顔画像を部分を抽出して、その顔画像の「笑顔度」を判別し、当該笑顔度に応じて特典サービスを提示し、選択させることが記載されている。
【先行技術文献】
【特許文献】
【０００５】
【特許文献１】特開２００７−２７９６０３号公報
【特許文献２】特開２０１２−１８５７３６号公報
【発明の概要】
【発明が解決しようとする課題】
【０００６】
本発明は、顔認証中のタッチパネル部の表示部を有効に利用することができる画像処理装置を得ることが目的である。
【課題を解決するための手段】
【０００７】
請求項１に記載の発明は、自装置の操作者を特定する操作者特定手段と、前記操作者特定手段による操作者特定前に、自装置に画像処理をさせるための操作を受け付ける受付手段と、を有している。
【０００８】
請求項２に記載の発明は、自装置の操作者を特定する操作者特定手段と、前記操作者特定手段による操作者特定前に、自装置に画像処理をさせるための操作を受け付ける受付手段と、前記受付手段が前記操作を受け付けた後に、前記操作者特定手段に操作者の特定を行わせるための画像を表示する表示手段と、を有している。
【０００９】
請求項３に記載の発明は、自装置の操作者を特定する操作者特定手段と、自装置に画像処理を行わせるための操作を受け付ける受付手段と、前記操作者特定手段が前記特定を行うための画像を表示する表示手段と、前記操作者特定手段による前記操作者特定前に、前記受付手段が操作を受け付けた場合、前記表示手段に前記特定を行わせるための画像の表示を許可する許可手段と、を有している。
【発明の効果】
【００１０】
請求項１〜請求項３に記載の発明によれば、顔認証中のタッチパネル部の表示部を有効に利用することができる。
【図面の簡単な説明】
【００１１】
【図１】本実施の形態に係る画像処理装置の概略図である。
【図２】本実施の形態に係る画像処理装置の制御系の構成を示すブロック図である。
【図３】本実施の形態に係るＵＩタッチパネルの外観図である。
【図４】本実施の形態に係り、使用者がＵＩタッチパネルに対峙したときの画像処理装置の側面図である。
【図５】本実施の形態に係るＵＩタッチパネルの表示部の正面図である。
【図６】（Ａ）は本実施の形態に係るスリープモード立ち上げ監視制御ルーチンを示すフローチャート（前半）、（Ｂ）は図６（Ａ）のステップ１１８で使用者がＵＩタッチパネルに対峙された時点で実行される認証得中のＵＩ操作情報記憶制御ルーチンを示すフローチャートである。
【図７】図６（Ａ）のステップ１２２に続く、スリープモード立ち上げ監視制御ルーチンを示すフローチャート（後半）である。
【図８】本実施の形態に係るスリープモードからの認証による立上げの流れにおいて、認証後にスタートキーを操作したときのタイミングチャートである。
【図９】本実施の形態に係るスリープモードからの認証による立上げの流れにおいて、認証中にスタートキーを操作したときのタイミングチャートである。
【図１０】変形例１に係るＵＩタッチパネルの表示部の正面図である。
【図１１】変形例２に係るＵＩタッチパネルの表示部の正面図である。
【発明を実施するための形態】
【００１２】
［本実施の形態］
（画像処理装置の構成）
図１には、本実施の形態に係る画像処理装置１０が示されている。
【００１３】
画像処理装置１０は、筐体１０Ａによって覆われており、適宜個所に開閉可能な扉が設けられている。一例として、図１では、前面の扉１０Ｂを図示するが、例えば、左右の側面にも扉が存在する場合がある。この扉１０Ｂは、例えば、紙詰まり、消耗品の交換、定期点検等、装置内部に作業者が手を差し延べて作業する場合に開放されるものであり、通常処理中は閉止されている。
【００１４】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一時的に記憶したり、読み取った画像データを画像形成部２４０又はファクシミリ通信制御回路２３６へ送出したりする。
【００１５】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータ（例えば、図２に示すＰＣ２１）と接続され、画像データを受信したり、ファクシミリ通信制御回路２３６を介して電話回線網２２を用いてファクシミリ受信及びファクシミリ送信を実行する役目を有している。
【００１６】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１７】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１８】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００１９】
（画像処理装置の制御系ハード構成）
図２は、画像処理装置１０の制御系のハード構成の概略図である。
【００２０】
ネットワーク通信回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。
【００２１】
また、画像処理装置１０は、電源装置２０２を備えており、メインコントローラ２００とはハーネス３３Ｅで接続されている。電源装置２０２は、商用電源２４２から電力の供給を受けている。電源装置２０２では、メインコントローラ２００に電力を供給すると共に（図２の点線参照）、その他のデバイスであるファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００２２】
また、メインコントローラ２００には、複数のセンサ（第１のセンサ２８、第２のセンサ２９、第３のセンサ３０）が接続されており、画像処理装置１０の周囲の人の有無を監視している。この第１のセンサ２８、第２のセンサ２９、第３のセンサ３０については後述する。
【００２３】
（画像処理装置の状態遷移のための監視制御）
ここで、本実施の形態のメインコントローラ２００は、必要最小限の電力消費となるように、部分的にその機能を停止させる場合がある（部分節電）。或いは、メインコントローラ２００の大部分を含め、電力の供給を停止させる場合がある。これらを総称して「スリープモード（節電モード）」という場合がある。
【００２４】
スリープモードは、例えば、画像処理が終了した時点でシステムタイマを起動させることで移行可能である。すなわち、前記システムタイマが起動してから予め定められた一定時間経過することで電力供給を停止させている。なお、予め定められた一定時間が経過するまでに、何らかの操作（ハードキー２１６Ｂの操作等）があれば、当然、スリープモードへのタイマカウントは中止され、次の画像処理終了時からシステムタイマが起動される。
【００２５】
一方、上記スリープモード中においても、常に電力の供給を受ける素子として、メインコントローラ２００には、監視制御部２４が設けられている。この監視制御部２４は、メインコントローラ２００と別体としてもよく、例えば、ＡＳＩＣと称される、自身で動作プログラムが格納され、当該動作プログラムで処理されるＣＰＵ、ＲＡＭ、ＲＯＭ等を備えたＩＣチップ等を備えるようにしてもよい。
【００２６】
ところで、前記スリープモード中の監視において、例えば、通信回線検出部からプリント要求などが来たり、ＦＡＸ回線検出部からＦＡＸ受信要求が来ることがある。この場合、監視制御部２４では、節電中であったデバイスに対して電力の供給を行なう。
【００２７】
また、メインコントローラ２００には、節電制御ボタン２６が接続されている。節電中に使用者が、この節電制御ボタン２６を操作することで、節電が解除可能となっている。なお、この節電制御ボタン２６には、処理部に電力が供給されているときに操作されることで、当該処理部の電力供給を強制的に遮断し、節電状態にする機能を持たせてもよい。
【００２８】
ここで、電力非供給状態であるスリープモードであっても、予め定めた電力以下（例えば、０．５Ｗ以下）であり電力供給を行うか否かの判別制御に必要な電力の供給を受ける場合がある。このときの電力供給元は、商用電源２４２に限定されるものではなく、蓄電池、ソーラー電池や、商用電源２４２から電力が供給されているときに充電される充電池等であってもよい。商用電源２４２を用いないことで、スリープモード中の商用消費電力（電力代）を「０」とすることが可能である。
【００２９】
（センサの適用）
ところで、スリープモード中に使用者が画像処理装置１０の前に立ち、その後に節電制御ボタン２６を操作して、電力供給を再開した場合、画像処理装置１０が立ち上がるまでに時間を要する場合があった。
【００３０】
そこで、本実施の形態では、前記監視制御部２４に、第１のセンサ２８を接続すると共に、スリープモードでは、使用者が節電制御ボタン２６を操作（押圧等）する前に第１のセンサ２８で検知して早期に電力供給を再開して、使用者が、節電制御ボタン２６を操作して使用を開始するよりも早く使えるようにした。
【００３１】
本実施の形態では、第１のセンサ２８は、使用者を含む移動体の移動を感知するため、人感センサが適用可能である。以下、第１のセンサ２８を、「人感センサ２８」という。
【００３２】
人感センサ２８は、「人感」としているが、これは、本実施の形態での固有名詞であり、少なくとも人が検知（「検出」と同義である）できればよく、言い換えれば、人以外の移動体の検知も含むものである。従って、以下において、人感センサ２８の検出対象を「人」に言及する場合があるが、将来的には、人に代わって要求された命令を実行する動物やロボット等も検知対象範囲である。なお、逆に、人と特定して検知できる特殊センサが存在する場合は、当該特殊センサを適用可能である。以下では、移動体、人、使用者等は、人感センサ２８が検出する対象として同義として扱い、必要に応じて区別することとする。
【００３３】
本実施の形態に係る人感センサ２８の仕様は、画像処理装置１０の周囲において、移動体の動きを検出するものである。この場合、焦電素子の焦電効果を用いた赤外線センサ等が代表的である（焦電型センサ）。本実施の形態では、人感センサ２８として焦電型センサを適用している。
【００３４】
この人感センサ２８に適用された焦電素子の焦電効果を用いたセンサの最大の特徴は、例えば、投光部と受光部とを備えた反射型センサ等に比べて、消費電力が小さく、かつ検出領域が広いことである。また、移動体の動きを検知するため、検出領域内であって、人が静止していると、人の存在を検出しない。例えば、人の移動時にハイレベル信号が出力されている場合、検出領域内の人が静止すると、当該信号がローレベル信号になるものである。
【００３５】
なお、本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００３６】
但し、人が画像処理装置１０の前で、例えば画像形成や画像読取等の処理を待つ間、その場でストレッチ運動等を行うと、人感センサ２８では、人の存在を検出する場合もある。
【００３７】
従って、当該「静止」を定義して人感センサ２８の感度を調整するのではなく、感度は、比較的おおまか、かつ標準的に調整し、当該人感センサ２８の感度特性に依存するようにしてもよい。すなわち、人感センサ２８が二値信号の内の１つ（例えば、ハイレベル信号）を出力しているときは人が動いていることを示し、人感センサ２８の検出領域内に人が存在し、かつ二値信号の内の他の１つ（例えば、ローレベル信号）が出力された場合を静止とすればよい。
【００３８】
本実施の形態では、人感センサ２８で、前記移動体が検出された場合、第２のセンサ２９へ電力の供給を開始するようになっている。第２のセンサ２９は、監視制御部２４に接続されており、スリープモード中は、電力供給遮断状態となっているが、前記人感センサ２８での移動体検出によって、電力が供給されるようになっている。
【００３９】
本実施の形態では、第２のセンサ２９として、移動体（使用者）の移動情報（遠近情報、移動方向情報を含む）を検出するためのカメラ機能を備えたセンサが適用される。以下、第２のセンサ２９を「アクセスカメラ２９」という。
【００４０】
アクセスカメラ２９では、少なくとも移動体の位置座標の遷移を認識する画像を撮影する。なお、移動体の位置捕捉の場合、移動体側から発信信号があれば、レーダーも適用可能であるが、本実施の形態では、移動体側からの発信信号がないものとして説明する。
【００４１】
本実施の形態では、アクセスカメラ２９で移動体の画像処理装置１０への接近、特にＵＩタッチパネル２１６への接近が確認された場合、例えば、スリープモードから特定のモード（メインコントローラ２００、ＵＩタッチパネル２１６、第３のセンサ３０の電力供給）へ移行する契機としている。
【００４２】
また、前記ＵＩタッチパネル２１６への接近の「確認」は、接近の「予測」を含むものであり、使用者がＵターン等することで結果的にＵＩタッチパネル２１６に対峙しない場合も含む。
【００４３】
本実施の形態では、アクセスカメラ２９で、前記移動体が接近し、かつＵＩタッチパネル２１６に対峙したことが検出された場合、第３のセンサ３０へ電力の供給を開始するようになっている。第３のセンサ３０は、メインコントローラ２００のＩ／Ｏ２１０に接続されている。
【００４４】
本実施の形態では、第３のセンサ３０として、使用者の個体認識情報を検出するためのカメラ機能を備えたセンサが適用される。以下、第３のセンサ３０を「認識カメラ３０」という。
【００４５】
認識カメラ３０では、使用者の個体認識情報を検出するべく、例えば、当該使用者の顔の個体固有の特徴情報を撮影する。メインコントローラ２００では、撮影された顔の特徴の画像情報に基づき、ＲＯＭ又はハードディスクに予め記憶された顔の特徴の画像データベースとの照合解析により、使用者の例えば個体認証が実行されたり、個体固有の情報とリンクさせ操作パネルに個別ユーザ画面などを自動的に表示させる。これにより、認証作業や個体情報の検索作業が削減され、使用者はボタン操作による煩雑な作業から解放され、快適な操作レスサービスを提供することが可能となる。
【００４６】
なお、本実施の形態では、アクセスカメラ２９の機能を移動体の接近の検知を目的とし、認識カメラ３０の機能を個体の認証を目的としているが、アクセスカメラ２９の機能を移動体の接近検知から個体認証までとし、認識カメラ３０の機能を個別ユーザに適したＵＩ画面の選択等、操作レスサービスの一環とする機能としてもよい。
【００４７】
個体認識情報は、画像処理装置１０のアクセス権の付与の有無、使用するデバイスの種類等、画像処理装置１０の動作制御に利用される。
【００４８】
例えば、予め、自席のＰＣ２１において、識別情報と共にジョブ種を登録しておくことで、顔等の撮影後に、顔画像情報に基づいて認証処理を実行し、顔画像情報から取得した識別情報と、ジョブ登録された識別情報との照合により要求されたジョブ種を特定することが可能である。
【００４９】
（人感センサ２８、アクセスカメラ２９、認識カメラ３０の配置構成）
図１に示される如く、人感センサ２８及びアクセスカメラ２９は、画像処理装置１０の筐体１０Ａにおける、縦長矩形状のピラー部５０に取り付けられている。また、認識カメラ３０は、ＵＩタッチパネル２１６の近傍に取り付けられている。
【００５０】
ピラー部５０は、主として前記画像読取部２３８を覆う上筐体と、主として画像形成部２４０を覆う下筐体とを連結する部分に柱状に設けられており、その内部は記録用紙搬送系等（図示省略）が組み付けられている。
【００５１】
図３に示される如く、画像処理装置１０におけるＵＩタッチパネル２１６の左端部に隣接する位置に、認識カメラユニット４０が取り付けられている。
【００５２】
認識カメラユニット４０は、ベース部４２に対して、認識カメラ３０のレンズ面が露出されている。認識カメラ３０のレンズ面はベース部４２の裏面側に配置された撮像素子本体（図示省略）に対して光学的に結像するように配置されている。
【００５３】
認識カメラ３０は、基準位置として出荷前に、画像処理装置１０のＵＩタッチパネル２１６に対峙する使用者６０の顔を撮影するように光軸（図３の矢印Ｌ参照）が調整されている。
【００５４】
また、認識カメラ３０は、前記人感センサ２８及びアクセスカメラ２９と連携して、撮影時期が制御されている。すなわち、認識カメラ３０は、少なくともスリープモード中は電力供給が遮断されている。当該スリープモード中に、人感センサ２８で移動体を検出し、かつアクセスカメラ２９で使用者６０がＵＩタッチパネル２１６に対峙することが予測された場合に、認識カメラ３０は電力が供給され、撮影が開始されるようになっている。
【００５５】
なお、認識カメラ３０では、電力が供給されて撮影が開始されると、所謂スルー画（動画）を撮影し、当該撮影中の動画がＵＩタッチパネル２１６の表示部２１６Ａに表示されるようになっている。表示部２１６Ａは、表示と入力とが兼用されたタッチパネルとして機能する。
【００５６】
使用者（被撮影者）は、この表示部２１６Ａに表示されるスルー画を確認しながら、顔の位置を調整することになる。
【００５７】
この認識カメラ３０によって撮影されたスルー画を解析することで、使用者がＵＩタッチパネル２１６に対峙したか否かを判定し、顔の位置が予め定めた適正な位置になると、所謂静止画として撮影する（特徴画像の撮影）。
【００５８】
この特徴画像に基づいて使用者の個体認証解析が実行される。メインコントローラ２００では、ＵＩタッチパネル２１６に対峙した使用者６０の個体認識が実行され、個人が特定された場合は、画像処理装置１０の各デバイスの電力供給制御が実行される。本実施の形態の個体認証は、顔認証である。
【００５９】
図４は、人感センサ２８の検出領域Ｆ、アクセスカメラ２９の検出領域Ｒ、認識カメラ３０の検出領域Ｌａの比較の一例を示している。
【００６０】
検出領域Ｆは、人感センサ２８の検出領域であり、人感センサ２８の取り付け位置から幅方向に扇状に広角され（１００°〜１２０°程度）、画像処理装置１０の床面に向けられている。
【００６１】
一方、点線Ｒは、アクセスカメラ２９の検出領域Ｒであり、人感センサ２８の検出領域Ｆで対応しきれない検出領域Ｒまで拡散している。
【００６２】
また、光軸Ｌを中心とする点線矢印Ｌａの範囲は、認識カメラ３０の検出領域Ｌａ（撮影範囲）であり、ＵＩタッチパネル２１６に対峙している使用者６０の顔を撮影するようになっている。
【００６３】
ところで、認識カメラ３０による撮影（スルー画及び静止画）は、使用者６０の顔認証を確実に実行するため、使用者を予め定めた適正な撮影領域内へ案内することが重要であり、また、顔認証する画像がどのような画像であるかを使用者に報知することが重要である。
【００６４】
従って、ＵＩタッチパネル２１６の表示部２１６Ａ（図３参照）に、スルー画を表示して使用者６０を誘導し、かつ、顔認証に適用する静止画を表示するようにしている。
【００６５】
しかし、使用者６０は、画像処理装置１０に接近し、ＵＩタッチパネル２１６に対峙すると、即時に、ＵＩタッチパネル２１６の入力機能（図３に示す、表示部２１６Ａの領域に対して共用されるタッチ操作パネル、並びに表示部２１６Ａの周辺に位置するハードキー２１６Ｂ）を用いて入力操作する場合がある。なお、ハードキー２１６Ｂには、スタートキー２１６Ｓが含まれる。
【００６６】
このとき、認証カメラ３０に基づく顔認証処理において、特徴画像が未確定中はスルー画、特徴画像が確定した後は静止画が、表示部２１６Ａに表示されるため、使用者６０は顔認証の終了を待たなければならない。顔認証により認証されない場合は使用者６０の使用は許可されないので、基本的には不都合はないが、既に、ＵＩ２１６に到達し、認証されることに間違いないと認識している使用者６０にとっては、顔認証時間は無用な待ち時間となる。
【００６７】
そこで、本実施の形態では、ＵＩタッチパネル２１６の表示部２１６Ａを、タッチ操作パネルの案内画像として機能する第１の領域２１６Ｃ１〜２１６Ｃ６（以下、総称する場合は、「第１の領域２１６」という場合がある）と、スルー画及び静止画を表示する第２の領域２１６Ｄとを併設するようにした。
【００６８】
図５は、ＵＩタッチパネル２１６の表示部２１６Ａに対して、第１の領域２１６Ｃと第２の領域２１６Ｄとを併設した一例である。
【００６９】
図５に示される如く、第１の領域２１６Ｃは、画像処理装置１０の案内画像の一例としてのメニュー画面であり、当該第１の領域２１６Ｃには、処理される機能毎に複数の矩形の枠２１６Ｃ１〜２１６Ｃ６で区画され、当該枠２１６Ｃ１〜２１６Ｃ６内をタッチすることで、それぞれの枠２１６Ｃ１〜２１６Ｃ６内に表示されている機能（例えば、コピー、らくらくコピー、スキャナー（ＰＣ保存）、スキャナー（ボックス保存）、ボックス操作、ジョブメモリー）を選択することが可能である。
【００７０】
ここで、本実施の形態では、枠２１６Ｃ１〜２１６Ｃ６と同等の大きさで第２の領域２１６Ｄを設け、前記枠２１６Ｃ１〜２１６Ｃ６に並ぶように表示した。なお、第２の領域２１６Ｄに付随して、認証ガイド表示枠２１７が表示されている。
【００７１】
これにより、第２の領域２１６Ｄは、第１の領域２１６Ｃの一部に表示されることになり、表示面積は第１の領域２１６Ｃに対して１／１０程度となっている（以下、「面積比１／１０」という）。
【００７２】
ＵＩタッチパネル２１６の表示部２１６Ａの中に、タッチパネルとして機能する第１の領域２１６Ｃと、スルー画及び静止画を表示する第２の領域２１６Ｄとを併設することにより、使用者６０は、第２の領域２１６Ｄに表示されているスルー画を確認しながら、顔を予め定めた位置に調整しながら、第１の領域２１６Ｃでタッチ操作が可能となる。
【００７３】
また、ＵＩタッチパネル２１６の表示部２１６Ａの中に、タッチパネルとして機能する第１の領域２１６Ｃと、スルー画及び静止画を表示する第２の領域２１６Ｄとを併設することにより、使用者６０は、第２の領域２１６Ｄに表示されている静止画に基づいて顔認証が実行されている間であっても、第１の領域２１６Ｃでタッチ操作が可能となる。
【００７４】
さらに、ＵＩタッチパネル２１６の表示部２１６Ａの中に、タッチパネルとして機能する第１の領域２１６Ｃと、スルー画及び静止画を表示する第２の領域２１６Ｄとを併設することにより、必然的にスルー画及び静止画の大きさが表示部２１６Ａ全体の大きさよりも小さくなる（本実施の形態では、「面積比１／１０」／図５参照）。このため、自分の画像を表示されたくない使用者６０にとって、顔認証に必要な撮影に際し、使用者６０に不快感を与えることなく、撮影領域確認のための撮影画像を表示することが可能となる。
【００７５】
以下、本実施の形態の作用を説明する。
【００７６】
画像処理装置１０は、処理がなされていないと動作状態は、スリープモードとなり、本実施の形態では、監視制御部２４にのみ電力が供給されている。
【００７７】
ここで、立ち上げ契機（アクセスカメラ２９による使用者６０の接近予測、節電解除操作、或いはＵＩタッチパネル２１６等の操作入力（キー入力））があると、メインコントローラ２００、ＵＩタッチパネル２１６、並びに認識カメラ３０を起動する。例えば、顔認識によって機器への認証が許可された使用者の場合、ＵＩタッチパネル２１６等の操作入力（キー入力））があると、当該ジョブ種に応じてウォームアップモードへ遷移する。
【００７８】
ウォームアップモードによる暖機運転が終了すると、画像処理装置１０はスタンバイモードまたはランニングモードに遷移するようになっている。
【００７９】
スタンバイモードは、文字通り「事に備えて準備が完了している」モードであり、画像処理装置１０においては、画像処理の動作が即実行できる状態となっている。
【００８０】
このため、キー入力としてジョブ実行操作があると、画像処理装置１０の動作状態は、ランニングモードに遷移し、指示されたジョブに基づく画像処理が実行されるようになっている。
【００８１】
画像処理が終了すると（連続した複数のジョブが待機している場合は、その連続したジョブの全てが終了したとき）、待機トリガによって画像処理装置１０の動作状態はスタンバイモードへ遷移する。
【００８２】
このスタンバイモード中にジョブ実行指示があれば、再度ランニングモードへ遷移する。一方、例えば、アクセスカメラ２９により使用者が画像処理装置１０から離れたことを検出（予測を含む）した場合、或いは予め定めた時間が経過したとき、スリープモードへ遷移する。
【００８３】
本実施の形態では、人感センサ２８、アクセスカメラ２９、認識カメラ３０とを相互に連携し電力供給制御を実行している。具体的には、人感センサ２８は常時電力を供給しているが、アクセスカメラ２９及び認識カメラ３０は、人感センサ２８の検出情報に基づいて、順次電力を供給する制御を行っており、デバイスに対する電力供給制御に加え、さらなる省エネ性向上を確立している。
【００８４】
以下、図６（Ａ）のフローチャートに従い、本実施の形態に係る人感センサ２８、アクセスカメラ２９、認識カメラ３０の連携による電力供給制御ルーチンを説明する。
【００８５】
図６（Ａ）の起動は、スリープモードに遷移したときであり、当該スリープモード中は、メインコントローラ２００、ＵＩタッチパネル２１６、各種デバイス、アクセスカメラ２９、認識カメラ３０は非通電（電力供給遮断状態）である。一方、メインコントローラ２００における監視制御部２４及び人感センサ２８は通電（電力供給状態）されており、その電力は、例えば、０．５Ｗ程度である。
【００８６】
ステップ１００では、人感センサ２８で移動体を検出したか否かが判断され、肯定判定されると、ステップ１０２へ移行して、アクセスカメラ２９及び認識カメラ３０起動する。
【００８７】
次のステップ１０４では、アクセスカメラ２９での撮影画像に基づいて、移動体の移動方向を判別する。この移動体の移動方向は、少なくとも人型を認識し、当該人型の体の向きや顔の向きにより、これから移動する方向を判別する（画像解析）。
【００８８】
次のステップ１０６では、アクセスカメラ２９の撮影に基づく前記画像解析で、移動体（使用者６０）が画像処理装置１０に接近していることを予測したか否かが判断される。「予測」としたのは、使用者の将来の移動が直線であることを前提としているためである。例えば、移動体が、画像解析した移動方向に対して方向転換（右左折、或いはＵターン等）を実行する可能性もあるため、「予測」とした。
【００８９】
このステップ１０６で否定判定された場合、すなわち、移動体は画像処理装置１０に向けて移動しないと予測された場合は、ステップ１０８へ移行してアクセスカメラ２９及び認識カメラ３０を非通電とし、ステップ１００へ戻る。
【００９０】
ステップ１０６の否定判定は、人感センサ２８で検出した移動体が、例えば、単純に素通りする移動体であり、既に、画像処理装置１０から離れている場合は、ステップ１００の繰り返しとなる。一方、当該移動体が、人感センサ２８の検出領域（図４に示す検出領域Ｆ）に停滞した場合は、再度アクセスカメラ２９及び認識カメラ３０が起動することになる。
【００９１】
なお、ステップ１０８でのアクセスカメラ２９及び認識カメラ３０の非通電遷移に遅延時間を持たせ、ステップ１００に移行した後も、当該遅延時間分、移動体の移動方向の画像解析を継続するようにしてもよい。これにより、人感センサ２８による死角を補填することが可能となる。
【００９２】
前記ステップ１０６において、肯定判定、すなわち、移動体が画像処理装置１０に向けて移動していると予測（接近予測）された場合は、ステップ１１０へ移行して、メインコントローラ２００、ＵＩタッチパネル２１６を通電する。
【００９３】
次のステップ１１２では、認識カメラ３０での撮影を開始し、ステップ１１４へ移行する。
【００９４】
ステップ１１４では、移動体（使用者６０）の画像処理装置１０への接近が継続しているか否かが判断される。すなわち、一旦は画像処理装置１０に向けて移動を継続するも、途中で方向転換する場合があるからである。このステップ１１４において否定判定されると、ステップ１１６へ移行して、ＵＩタッチパネル２１６を非通電とし、ステップ１０４へ戻る。
【００９５】
また、ステップ１１４において、肯定判定されると、ステップ１１８へ移行して、使用者６０がＵＩタッチパネル２１６に対峙したか否かを判別する。すなわち、認識カメラ３０で撮影した画像の解析により、使用者６０（特に、顔画像）の撮影が実行されることで、ＵＩタッチパネル２１６への使用者６０の対峙と判別可能である。
【００９６】
ステップ１１８で否定判定、すなわち、使用者６０を撮影できない場合は、ステップ１２０へ移行して、予め定めた時間が経過したか否かが判断される。このステップ１２０で否定判定された場合は、ステップ１１４へ戻り、上記工程（ステップ１１４→ステップ１１８→ステップ１２０）を繰り返す。
【００９７】
また、ステップ１２０で肯定判定された場合は、使用者６０が画像処理装置１０に接近状態ではあるが、ＵＩタッチパネル２１６に対峙しない状態が、予め定めた時間継続したと判断し、ステップ１１６へ移行して、ＵＩタッチパネル２１６を非通電とし、ステップ１０４へ戻る。
【００９８】
このステップ１２０の肯定判定は、例えば、使用者６０が、画像処理装置１０の正面からずれた位置（排出トレイの位置）で、自席のＰＣ２１等からプリントを指示し、その出力を待っている状態、或いは、トナーや記録用紙等の消耗品の交換のために、画像処理装置１０の近傍で準備作業を行っている状態、等が考えられる。
【００９９】
一方、前記ステップ１１８で肯定判定、すなわち、使用者６０の例えば、顔画像の撮影に成功し、使用者６０がＵＩタッチパネル２１６に対峙したと判別した場合は、ステップ１２２へ移行して、個体認識処理を実行する。
【０１００】
個体認識処理は、撮影した顔画像を解析し、予めメインコントローラ２００のＲＯＭ又はＨＤＤ(図示省略）に登録した顔データベースと照合し、当該画像処理装置１０の使用許可を受けている使用者６０か否かを認証する。
【０１０１】
ここで、ステップ１１８で使用者６０がＵＩタッチパネル２１６に対峙したと判別されることにより、使用者６０は、ＵＩタッチパネル２１６による操作が可能となり、本実施の形態では、図６（Ｂ）に示す、認証中のＵＩ操作情報記憶制御ルーチンが起動する。
【０１０２】
この図６（Ｂ）のフローチャートでは、これから実行される認証処理（スルー画の撮影、静止画の撮影及び顔認証解析処理）中に使用者６０がＵＩタッチパネル２１６を操作した情報（ＵＩ操作情報）を操作順に記憶するものである。
【０１０３】
ステップ１５０では、ＵＩタッチパネル２１６のタッチ操作パネル或いはハードキー２１６Ｂの操作があったか否かが判断される。このステップ１５０で肯定判定されると、ステップ１５２へ移行して、表示部２１６Ａに、操作に基づく表示を行い、次いでステップ１５４へ移行してＵＩタッチパネル２１６の操作順に記憶して、ステップ１５０へ戻る。この図６（Ｂ）のルーチンは、顔認証処理が終了するまで繰り返される（図７のステップ１２８の「認証中のＵＩ操作情報記憶制御の終了指示」参照）。
【０１０４】
図６（Ａ）に示される如く、ステップ１２２Ａで個体認証処理が実行され、当該個体認証処理が終了すると、図７のステップ１２４へ移行する。
【０１０５】
図７に示される如くステップ１２４では、個体認証処理において認証ができたか否かが判断される。
【０１０６】
このステップ１２４で否定判定された場合は、ステップ１２６へ移行して非認証処理が実行される。非認証処理では、例えば、認証処理を数回繰り返す、カードリーダがある場合にＩＤカードをかざして認証する、ハードキー２１６Ｂに設けられたテンキーによる手動で暗唱番号を入力して認証する、認証を却下する、といった処理を組み合わせればよい。なお、非認証の場合は、図６（Ｂ）のフローチャートの処理で記憶したＵＩ操作情報は消去することが好ましい。
【０１０７】
一方、前記ステップ１２４で肯定判定された場合は、認証ができたと判断し、ステップ１２８へ移行して、認証中のＵＩ操作情報記憶制御（図６（Ｂ）のフローチャート）の終了を指示し、ステップ１３０へ移行する。
【０１０８】
ステップ１３０では、認証完了を報知し（例えば、ＵＩタッチパネル２１６の表示部２１６Ａに表示し）、ステップ１３２へ移行する。
【０１０９】
ステップ１３２では、認証中のＵＩ操作情報、すなわち、使用者６０がＵＩタッチパネル２１６に対峙した後、認証処理中にＵＩタッチパネル２１６の表示部２１６Ａに設定された第１の領域２１６Ｃでのタッチ操作、或いはスタートキー２１６Ｓを含むハードキー２１６Ｂの操作を操作順に記憶した操作情報を読み出し、ステップ１３４へ移行する。
【０１１０】
ステップ１３４では、ＵＩ操作情報があるか否かが判断される。このステップ１３４で肯定判定されると、使用者６０は認証処理中に、ＵＩタッチパネル２１６の第２の領域２１５Ｃ（タッチ操作パネル）やハードキー２１６Ｂを操作したと判断し、ステップ１３６へ移行してＵＩ操作情報に基づき、デバイスを立ち上げる。例えば、使用者６０が、コピーを選択し、原稿を画像読取部２３８の原稿台に置いた場合は、画像読取部２３８と画像形成部２４０が通電される。
【０１１１】
次のステップ１３８では、使用者６０が、認証処理中の最終操作としてスタートキー２１６Ｓを操作したか否かが判断され、このステップ１３８で肯定判定された場合は、ステップ１４０へ移行して、個体認証中のＵＩ操作に基づく処理の実行（例えば、コピーが選択されている場合は、コピー処理の実行）を指示し、このルーチンは終了する。
【０１１２】
また、ステップ１３８で否定判定された場合は、スタートキー２１６Ｓの操作を待ってから、個体認証中のＵＩ操作に基づく処理の実行（例えば、コピーが選択されている場合は、コピー処理の実行）を指示し、このルーチンは終了する。
【０１１３】
一方、前記ステップ１３４で否定判定された場合は、使用者６０が認証処理中にＵＩタッチパネル２１６の第１の領域２１６Ｃ（タッチ操作パネル）やハードキー２１６Ｂを操作していないと判断し、ステップ１４２へ移行して、通常動作が実行される。
【０１１４】
通常動作とは、例えば、認証結果に応じて、認証者に適したメニューを表示したり、認証者に対して予め登録されているジョブに必要なデバイスを通電（例えば、プリント指示の場合は、画像形成部２４０を通電）することである。なお、単純にＵＩタッチパネル２１６の表示部２１６Ａに標準的なメニュー画面を表示し、操作入力待ちとしてもよい。
【０１１５】
図８及び図９は、上記図６及び図７のフローチャートに基づき、スリープモードから顔認証によって画像処理装置１０を立上げ、処理を実行する工程を示すタイミングチャートである。このタイミングチャートは、図６及び図７のフローチャートに準じているため、詳細な説明は省略する。
【０１１６】
図８は、顔認証中に、スタートキー２１６Ｓが操作されずに認証後（認証ＯＫ）にスタートキー２１６Ｓが操作された場合のタイミングチャートである。すなわち、図７のステップ１３８において、認証後は暫時否定判定されて待機しており、その後、スタートキー２１６Ｓが操作されると、処理が実行される。
【０１１７】
図９は、顔認証中にスタートキー２１６Ｓが操作されている場合のタイミングチャートである。すなわち、図７のステップ１３８で即時に肯定判定され、顔認証直後に処理が実行される。
【０１１８】
なお、本実施の形態では、ＵＩタッチパネル２１６の表示部２１６Ａを、タッチ操作パネルとして機能する第１の領域２１６Ｃと、スルー画及び静止画を表示する第２の領域２１６Ｄとを併設する形態として、図５に示される如く、第１の領域２１６Ｃの１つの機能を示す枠２１６Ｃ１〜２１６Ｃ６と同等の大きさとすることで、第２の領域２１６Ｄの大きさ（面積）が、第１の領域２１６Ｃの大きさ（面積）の１／１０程度（面積比１／１０）となるようにしたが、併設の形態はこれに限定されるものではなく、以下の変形例が適用可能である。
【０１１９】
（変形例１）
図１０に示される如く、第２の領域２１６Ｄは、前記第１の領域の枠２１６Ｃ１〜２１６Ｃ６の背景としている。このため、第２の領域２１６Ｄの大きさとしては表示部２１６Ａ全体の大きさに相当するが、枠２１６Ｃ１〜２１６Ｃ６、並びに認証ガイド表示枠２１７の表示が優先表示（前面表示）されており、認識カメラ３０で撮影されているスルー画又は静止画は、その一部が枠２１６Ｃ１〜２１６Ｃ６の隙間から見えるようになっている。
【０１２０】
しかしながら、この隙間から見える一部の画像であっても、スルー画による顔の位置の調整や、静止画であることの確認は可能である。
【０１２１】
このため、変形例１では、顔認証中であっても、ＵＩタッチパネル２１６による操作が可能であり、かつ、自分の画像を表示されたくない使用者６０にとって有利という効果（顔認証中の時間を有効に利用することができ、かつ顔認証の撮影に際し、使用者６０に不快感を与えることなく、撮影領域確認のための撮影画像を表示する。）を維持することができる。
【０１２２】
（変形例２）
図１１に示される如く、変形例２では、ＵＩタッチパネル２１６の表示部２１６Ａが左右に２分割され、一方が第１の領域２１６Ｃ、他方が第２の領域２１６Ｄとされている。なお、分割は上下方向でもよいし、矩形である必要はなく、第１の領域２１６Ｃと第２の領域２１６Ｄとが区分されればよい。
【０１２３】
図１１に示される如く、第１の領域２１６Ｃは、画像処理装置１０のメニュー画面であり、枠２１６Ｃ１〜２１６Ｃ６内に表示されている機能（例えば、コピー、らくらくコピー、スキャナー（ＰＣ保存）、スキャナー（ボックス保存）、ボックス操作、ジョブメモリー）を選択することが可能である。
【０１２４】
一方、第２の領域２１６Ｄは、スルー画及び静止画が表示される。この場合、第２の領域２１６Ｄに表示されるスルー画及び静止画は、使用者６０の顔に代えて、予め設定したキャラクタ画像６０Ａが表示されるようになっている。なお、認証処理で適用される画像は、使用者６０本人の画像である。
【０１２５】
キャラクタ画像６０Ａとは、使用者６０のお気に入りの顔、動物の顔、漫画に登場する顔、作図した顔を含み、認証カメラ３０で現在撮影している画像ではない画像をいう。
【０１２６】
第２の領域２１６Ｄにキャラクタ画像６０Ａが表示されることで、認識カメラ３０で撮影されているスルー画であっても静止画であっても、使用者６０の少なくとも輪郭（大きさ）、向きが判別可能である。
【０１２７】
変形例２では、使用者６０は、キャラクタ画像６０Ａを見ながら位置を調整し、また、顔認証中はキャラクタ画像６０Ａが静止画となる。このため、ＵＩタッチパネル２１６による操作が可能であり、かつ、自分の画像を表示されたくない使用者６０にとって有利という効果（顔認証中の時間を有効に利用することができ、かつ顔認証の撮影に際し、使用者６０に不快感を与えることなく、撮影領域確認のための撮影画像を表示する。）を維持することができる。
【０１２８】
ここで、本実施の形態では、画像処理装置１０に、人感センサ２８、アクセスカメラ２９、認証カメラ３０を設置し、スリープモード状態を可能なかぎり維持することで省エネ性を向上すると共に、確実に使用者６０がＵＩタッチパネル１６に対峙したことを認識した時点で認証処理を行うことで、ＩＤカードをカードリーダにかざしたり、暗唱番号を入力するといった作業が不要となって利便性を向上することに加え、認証処理中にＵＩタッチパネル２１６の操作が可能であるため、待ち時間（認証開始から終了までの時間）を有効利用することが可能である。
【０１２９】
また、本実施の形態では、認証処理に必要な画像を認識カメラ３０で撮影し、ＵＩタッチパネル２１６の表示部２１６Ａにスルー画を表示して、使用者６０自身がこのスルー画を確認しながら顔画像の位置を調整し、かつ調整後の認証画像を静止画として表示する場合に、スルー画や静止画を表示部２１６Ａの表示領域に対して極めて小さく（１／１０程度）した。認証期間中にＵＩタッチパネル２１６の表示部２１６Ａに表示されるスルー画や静止画を目立たなくすることが可能である。また、スルー画や静止画を背景画像としたり、キャラクタ画像に変更したりすることで、認証期間中にＵＩタッチパネル２１６の表示部２１６Ａに表示されるスルー画や静止画を目立たなくすることが可能である。
【０１３０】
なお、本実施の形態（全ての変形例を含む）では、以下の実施態様を含む。
【０１３１】
（態様１）
タッチパネル部に対峙することで撮影される使用者の顔画像に基づいて、処理の実行を許可するか否かを判定するための顔認証処理を実行する顔認証手段と、
前記タッチパネル部に、前記顔認証手段による顔認証処理中に前記撮影した顔画像を表示すると共に、前記顔認証手段による顔認証処理の終了前に入力操作を案内する案内画像を前記顔画像よりも優先度が高い状態で表示する表示制御手段と、
を有する顔認証装置。
【０１３２】
（態様２）
前記顔認証手段による顔認証の判定結果を報知する報知手段をさらに有する態様１記載の顔認証装置。
【０１３３】
（態様３）
前記優先度の対象が、表示される画像領域の大きさであり、
前記案内画像を表示する画像領域が、前記顔画像を表示する画像領域よりも広い態様１又は態様２記載の顔認証装置。
【０１３４】
（態様４）
前記優先度の対象が、表示階層であり、
前記タッチパネル部には、前記案内画像が前層、前記顔画像が後層となるように表示され、前記顔画像が、前記案内画像の隙間から背景画像として表示される態様１又は態様２記載の顔認証装置。
【０１３５】
（態様５）
前記優先度の対象が、認識度合いであり、
前記顔画像に代えて、前記顔画像の少なくとも輪郭、位置が判別可能な別画像を表示する態様１又は態様２記載の顔認証装置。
【０１３６】
（態様６）
前記タッチパネル部が、前記顔認証の許可を待たずに、前記表示された案内画像に基づく処理の実行を指示するための先行入力操作を許容する態様１〜態様５の何れかに記載の顔認証装置。
【０１３７】
（態様７）
前記先行入力操作において、処理の実行開始を指示する開始操作がなされている場合には、前記顔認証の許可に続いて、処理の実行を開始する態様６記載の顔認証装置。
【０１３８】
（態様８）
前記タッチパネル部及び前記顔認証手段の電力供給が遮断されたスリープモードにおいて、使用者の接近を検出する第１の検出手段と、
第２の検出手段により使用者が前記タッチパネル部へ対峙したことを検出する第２の検出手段と、をさらに有し、
前記第１の検出手段により使用者の接近を検出した時点で前記タッチパネル部及び前記顔認証手段に対して電力供給を開始し、
前記第２の検出手段により使用者が前記タッチパネル部に対峙したことを検出した時点で前記顔認証手段による顔認証の実行を開始する態様１〜態様７の何れかに記載の顔認証装置。
【０１３９】
（態様９）
態様１〜態様８の何れかに記載の顔認証装置を備えた画像処理装置。
【０１４０】
（態様１０）
態様１〜態様８の何れかに記載の顔認証装置と、
スリープモード中における入力操作に応じて、画像処理の実行のために必要なデバイスを個別に電力の供給又は供給遮断する電力供給制御手段と、
前記顔認証装置による顔認証中は、前記電力供給制御手段によるデバイスへの電力供給を禁止する禁止手段と、
を有する画像処理装置。
【０１４１】
態様１によれば、顔認証中のタッチパネル部の表示部を有効に利用することができる。
【０１４２】
態様２によれば、認証の可否を確実に認識することができる。
【０１４３】
態様３、態様４、態様５によれば、認証中においても案内画面を優先表示し、顔画像を目立たなくすることができる。
【０１４４】
態様６によれば、認証中のタッチパネル部を有効利用することができる。
【０１４５】
態様７によれば、タッチパネル部の操作の利便性を向上することができる。
【０１４６】
態様８によれば、省エネ性と利便性の向上を両立することができる。
【０１４７】
態様９に記載の発明によれば、顔認証中のタッチパネル部の表示部を有効に利用することができる。
【０１４８】
態様１０によれば、認証できなかったときの無駄な電力消費を抑制することができる。
【符号の説明】
【０１４９】
Ｗ    壁面
１０    画像処理装置
１０Ａ    筐体
１０Ｂ    扉
２０    ネットワーク通信回線網
２１    ＰＣ
２４    監視制御部
２６    節電制御ボタン
２８    第１のセンサ（人感センサ）
２９    第２のセンサ（アクセスカメラ）
３０    第３のセンサ（認識カメラ）
３３Ａ〜３３Ｄ    バス
３３Ｅ    ハーネス
３５Ａ〜３５Ｄ    電力供給線
４０    認識カメラユニット
４２    ベース部
６０    使用者
２００    メインコントローラ
２０２    電源装置
２１６    ＵＩタッチパネル
２３６    ファクシミリ通信制御回路
２３８    画像読取部
２４０    画像形成部
２４２    商用電源
２４３    配線プレート
２４４    入力電源線
２４５    コンセント
【図１】
2015177433.tif 000003
【図２】
2015177433.tif 000004
【図３】
2015177433.tif 000005
【図４】
2015177433.tif 000006
【図５】
2015177433.tif 000007
【図６】
2015177433.tif 000008
【図７】
2015177433.tif 000009
【図８】
2015177433.tif 000010
【図９】
2015177433.tif 000011
【図１０】
2015177433.tif 000012
【図１１】
2015177433.tif 000013